(57)【要約】【課題】液晶画面のバックライトの光で、リモコンの充電池の充電が行えるようにすることで、本体のコストアップを防止した液晶テレビを提供する。【解決手段】液晶テレビ１の装着部２１にリモコン１１を嵌挿し、素着すると、このリモコン１１の太陽電池１５にＬＣＤ５のバックライト３１の光が照射される。これにより、太陽電池１５が発電し、充電池１６が充電される。このように、バックライトの光でリモコンの充電池を充電するようにしたので、本体のコストアップを防止できる。【選択図】図４
2004336316.tif 000002
【特許請求の範囲】
【請求項１】
受信しているテレビ放送信号から選択されているチャンネルのテレビ放送信号を抽出し出力する選局手段と、
上記選局手段が出力したテレビ放送信号に基く映像を液晶画面に表示する表示手段と、
リモコンから本体に対して送信されてきた制御コマンドに応じて本体の動作を制御する制御手段と、を備え、
上記リモコンは、太陽電池、およびこの太陽電池により充電される充電池を有し、この充電池から動作電源を得て動作する液晶テレビにおいて、
液晶テレビ本体に、上記リモコンを嵌挿して装着する凹形状の装着部と、
上記装着部に装着されている上記リモコンから、上記充電池における充電が完了した旨を示す制御コマンドを受信したときに、上記充電池における充電の完了を検出する充電完了検出手段と、
上記充電完了検出手段が上記充電池における充電の完了を検出したとき、その旨を上記表示手段に表示させる充電完了通知手段と、を備え、
該装着部は、液晶表示画面の下側に設け、その上面に上記バックライトの光が通る開口部を形成し、
さらに、上記装着部の上記開口部を開閉する移動自在のシャッタを備え、
該シャッタは、装着部に嵌挿された上記リモコンに押圧されて上記開口部を開する位置に移動する液晶テレビ。
【請求項２】
受信しているテレビ放送信号から選択されているチャンネルのテレビ放送信号を抽出し出力する選局手段と、
上記選局手段が出力したテレビ放送信号に基く映像を液晶画面に表示する表示手段と、
リモコンから本体に対して送信されてきた制御コマンドに応じて本体の動作を制御する制御手段と、を備え、
上記リモコンは、太陽電池、およびこの太陽電池により充電される充電池を有し、この充電池から動作電源を得て動作する液晶テレビにおいて、
液晶テレビ本体に、上記リモコンを嵌挿して装着する凹形状の装着部を備え、該装着部は、上記表示手段のバックライトの光が、装着されている上記リモコンの上記太陽電池に照射されるように形成した液晶テレビ。
【請求項３】
上記装着部に装着されている上記リモコンの上記充電池における充電の完了を検出する充電完了検出手段と、
上記充電完了検出手段が上記充電池における充電の完了を検出したとき、その旨を上記表示手段に表示させる充電完了通知手段と、を備えた請求項２に記載の液晶テレビ。
【請求項４】
上記リモコンは、上記充電池における充電が完了したときに、液晶テレビ本体に対してその旨を示す制御コマンドを送信する請求項３に記載の液晶テレビ。
【請求項５】
上記装着部は、液晶表示画面の下側に設け、その上面に上記バックライトの光が通る開口部を形成した形状であり、
上記装着部の上記開口部を開閉する移動自在のシャッタを備え、
該シャッタは、装着部に嵌挿された上記リモコンに押圧されて上記開口部を開する位置に移動する請求項２〜４のいずれかに記載の液晶テレビ
【発明の詳細な説明】
【０００１】
【発明の属する技術分野】
この発明は、リモコンで遠隔操作される液晶テレビに関し、特に太陽電池により発電された電力を動作電源として動作するリモコンで遠隔操作される液晶テレビに関する。
【０００２】
【従来の技術】
従来、一般的なテレビは、リモコンの操作で、電源のオン／オフ、チャンネルの切換、音量のアップ／ダウン等、本体の動作を制御することができる。周知のように、リモコンはユーザの操作に応じた制御コマンドを赤外線や電波でテレビ本体へ送信する。テレビは、リモコンから送信されてきた制御コマンドを受信すると、受信した制御コマンドに応じて、本体の動作（電源のオン／オフ、チャンネルの切換、音量のアップ／ダウン等）を制御する。
【０００３】
また、特許文献１〜４には、太陽電池により発電された電力を動作電源として動作するリモコンが記載されている。
【０００４】
ところで、太陽電池により発電された電力を動作電源として動作するリモコンは、ユーザが操作している室内（ユーザがテレビを見ている部屋）が明るくないと、太陽電池による発電が行われない。一方、リモコンは明るくない室内であっても使用可能に構成する必要がある。そこで、リモコンには、特許文献１、３に記載されているように、太陽電池により充電される充電池が設けられている。ユーザは、予めリモコンの充電池を充電しておくことにより、明るくない室内であってもリモコンを使用して、テレビ本体の動作を制御することができる。
【０００５】
【特許文献１】
特開平５−１４９７８号公報
【特許文献２】
実開平７−２５６８０号公報
【特許文献３】
特開２００２−９５０６７号公報
【特許文献４】
実開平７−２５６７９号公報
【０００６】
【発明が解決しようとする課題】
しかしながら、明るくない室内でリモコンを使用しているときに、充電池が切れると、太陽電池による充電池の充電が行われないので、リモコンが使用できなくなる。そこで、特許文献１ではリモコンの常置場所にランプを設け、このランプの光を太陽電池に照射して、充電池を充電することが提案されている。また、特許文献３ではテレビ本体に充電池を充電する充電回路を設けることが提案されている。しかし、特許文献１はリモコンの充電池を充電するためのランプが必要になり、また特許文献３はリモコンの充電池を充電するための充電回路が必要になるので、本体のコストアップという問題があった。
【０００７】
この発明の目的は、液晶画面のバックライトの光で、リモコンの充電池を充電できるように構成することで、本体のコストアップを防止した液晶テレビを提供することにある。
【０００８】
【課題を解決するための手段】
この発明の液晶テレビは、上記課題を解決するために以下の構成を備えている。
【０００９】
（１）受信しているテレビ放送信号から選択されているチャンネルのテレビ放送信号を抽出し出力する選局手段と、
上記選局手段が出力したテレビ放送信号に基く映像を液晶画面に表示する表示手段と、
リモコンから本体に対して送信されてきた制御コマンドに応じて本体の動作を制御する制御手段と、を備え、
上記リモコンは、太陽電池、およびこの太陽電池により充電される充電池を有し、この充電池から動作電源を得て動作する液晶テレビにおいて、
液晶テレビ本体に、上記リモコンを嵌挿して装着する凹形状の装着部を備え、該装着部は、上記表示手段のバックライトの光が、装着されている上記リモコンの上記太陽電池に照射されるように形成した。
【００１０】
この構成では、テレビ本体に設けた凹形状の装着部に、リモコンを嵌挿して装着すると、液晶画面のバックライトの光が装着されたリモコンの太陽電池に照射されるので、このリモコンの充電池が充電される。このように、液晶画面のバックライトの光でリモコンの充電池を充電する構成としたので、充電池を充電するための専用のランプや、充電回路を設ける必要がなく、本体のコストアップが防止できる。
【００１１】
（２）上記装着部に装着されている上記リモコンの上記充電池における充電の完了を検出する充電完了検出手段と、
上記充電完了検出手段が上記充電池における充電の完了を検出したとき、その旨を上記表示手段に表示させる充電完了通知手段と、を備えている。
【００１２】
この構成では、本体に装着されているリモコンの充電池に対する充電の完了をユーザに速やかに通知することができる。
【００１３】
（３）上記リモコンは、上記充電池における充電が完了したときに、液晶テレビ本体に対してその旨を示す制御コマンドを送信する。
【００１４】
この構成では、リモコンからテレビ本体に対して充電池における充電の完了を通知するようにしたので、テレビ本体に充電池の充電量を検出する構成（充電池の端子間の電位を検出する構成）を設ける必要がなく、本体のコストアップが確実に防止できる。
【００１５】
（４）上記装着部は、液晶表示画面の下側に設け、その上面に上記バックライトの光が通る開口部を形成した形状であり、
上記装着部の上記開口部を開閉する移動自在のシャッタを備え、
該シャッタは、装着部に嵌挿された上記リモコンに押圧されて上記開口部を開する位置に移動する。
【００１６】
この構成では、装着部にリモコンが装着されていないとき、シャッタによって開口部が閉じられているので，バックライトの光が外部に漏れることがない。また、装着部にリモコンが装着されているときは、開口部については開しているが、装着されているリモコンによってバックライトの光が外部に漏れることがない。
【００１７】
【発明の実施の形態】
以下、この発明の実施形態である液晶テレビについて説明する。
【００１８】
図１は、この発明の実施形態である液晶テレビ、およびリモコンの主要部の構成を示すブロック図である。この実施形態の液晶テレビ１は、本体の動作を制御する制御部２と、図示していないアンテナで受信しているテレビ放送信号から選択されているチャンネルのテレビ放送信号を抽出し、出力するチューナ３と、該チューナ３が出力したテレビ放送信号に基く映像をＬＣＤ５に表示する映像処理部４と、該チューナ３が出力したテレビ放送信号に基く音声をスピーカ７から出力する音声処理部６と、以下に示すリモコン１１から送信されてきた制御コマンドを受信するリモコン受信部８と、を備えている。
【００１９】
チューナ３がこの発明で言う選局手段に相当し、映像処理部４がこの発明で言う表示手段に相当する。制御部２は、リモコン受信部８で受信した制御コマンドに応じて、電源のオン／オフ、チャンネルの切換、音量のアップ／ダウン等を制御する。液晶テレビ１の各部には、図示していない電源回路から動作電源が供給されている。この電源回路の入力は、商用電源（例えば、ＡＣ１００Ｖ）である。
【００２０】
また、リモコン１１は、本体の動作を制御する制御部１２と、入力操作を行う操作部１３と、操作部１３における操作に応じた制御コマンドを送信する送信部１４と、太陽電池１５の発電で充電池１６を充電する充電回路１７と、本体各部に動作電源を供給する電源回路１８と、を備えている。操作部１３は、リモコン１１本体表面に設けられた複数のボタンにより構成される。送信部１４は、操作されたボタンに応じた制御コマンドを赤外線や電磁波で送信する。太陽電池１５は、周知のように光の照射により発電する。電源回路１８は、制御部１２、送信部１４等に動作電源を供給する。電源回路１８の入力は、充電池１８である。
【００２１】
なお、充電池１６が十分に充電されていない場合（切れている場合）等、電源回路１８の入力が太陽電池１５になることもある。
【００２２】
図２は液晶テレビ本体の外観を示す正面図であり、図３はリモコンの外観を示す図である。液晶テレビ１は、ＬＣＤ５の左右にスピーカ７を設けている。また、リモコン１１を装着する凹形状の装着部２１をＬＣＤ５の下方に形成している。リモコン１１は、図３に示すように本体表面に操作部１３を構成する複数のボタンを配置している。また、本体側面には、太陽電池１５が配置されている。
【００２３】
リモコン１１は、図４に示すように、太陽電池１５が配置されている側面を上方にして、液晶テレビ１の装着部２１に嵌挿される。装着部２１の凹形状は、リモコン１１の外形と略同じである。また、液晶テレビ１のリモコン受信部８は、図４に示すように装着部２１に嵌挿して装着されたリモコン１１の送信部１４から送信された制御コマンドを受信できる位置に設けられている。
【００２４】
したがって、液晶テレビ１の装着部２１にリモコン１１を装着することにより、このリモコン１１を液晶テレビ１の操作部として使用できる。
【００２５】
次に、液晶テレビ１の装着部２１について詳細に説明する。まず、装着部２１の上方に位置するＬＣＤ５について説明する。図５（Ａ）は、ＬＣＤの断面図を示す図であり。図５（Ｂ）はＬＣＤの下面を示す図である。ＬＣＤ５は、バックライト３１（冷陰極型蛍光ランプ等）の前方に液晶パネル３２を配置している。また、バックライト３１の後方に反射板３３を配置している。液晶パネル３２、バックライト３１、および反射板３３は、ケース３４に収納されている。
【００２６】
バックライト３１は、液晶パネル３２の上端、中央、下端にそれぞれ２本ずつ、合計６本設けられている。また、ケース３４の下面には、図５（Ｂ）に示すように開口部３５が形成されている。バックライト３１の光の一部は、この開口部３５を通って、ＬＣＤ５の外側に照射される。また、開口部３５は、装着部２１に装着されているリモコン１１の太陽電池１５に対向する位置に形成されている。したがって、装着部２１に装着されているリモコン１１の太陽電池１５に、バックライト３１の光の一部が開口部３５を通って照射される。
【００２７】
ここで、ＬＣＤ５の下方に位置する装着部２１について説明する。図５（Ａ）は装着部の正面図であり、図５（Ｂ）、（Ｃ）は装着部の上面図である。ＬＣＤ５の下方に位置する装着部２１の上面には、開口部２２が形成されている（図５（Ｂ）、（Ｃ）参照）。この開口部２２は、上述したＬＣＤ５の下面に形成されている開口部３５に対向する位置に形成している。また、開口部２２の下には、この開口部２２を開閉するシャッタ２３が配置されている。ＬＣＤ５の下面、装着部２１の上面、およびシャッタ２３は、殆ど隙間なく近接している。シャッタ２３は、前端部を折り曲げた形状であり、図示していない弾性体（バネやゴム）により、液晶テレビ１の正面側に付勢されている。シャッタ２３は、装着部２１にリモコン１１が装着されていないとき、上記弾性体の付勢力により、図５（Ｂ）に示すように開口部２２の略真下に位置し、開口部２２を閉する。一方、この付勢力に抗してシャッタ２３を本体奥に押し込むと、図５（Ｃ）に示すように開口部２２が開された状態になる。
【００２８】
次に、この実施形態の液晶テレビ１の動作について説明する。
【００２９】
この実施形態の液晶テレビ１は、周知の液晶テレビと同様に、リモコン１１から送信されてきた制御コマンド、例えば電源オン／オフ、チャンネル切換、音量のアップ／ダウン、をリモコン受信部８で受信すると、受信した制御コマンドに応じて本体の動作を制御する。リモコン１１は、操作部１３におけるユーザの操作に応じた制御コマンドを送信する。
【００３０】
このように、ユーザはリモコン１１の操作により、この実施形態の液晶テレビ１の動作を切り換えることができる。
【００３１】
次に、リモコン１１の充電池１６を充電するときの動作について説明する。ユーザは、リモコン１１を液晶テレビ１の装着部２１に嵌挿し、装着する。このとき、操作部１３のボタンが前面に位置し、且つ太陽電池１５が上面に位置する向きにリモコン１１を液晶テレビ１に装着する。装着部２１にリモコン１１を嵌挿すると、シャッタ２３は、その前端部がリモコン１１によって押圧され、本体奥側に移動する。これにより、開口部２２が開された状態になる。
【００３２】
このとき、リモコン１１の太陽電池１５が開口部２２の下に位置する。また、開口部２２の上には、ＬＣＤ５のケース３４の下面に形成された開口部３５が位置する。したがって、ＬＣＤ５のバックライト３１の光が開口部３５、開口部２２を通ってリモコン１１の太陽電池１５に照射される。これにより、太陽電池１５が発電し、充電回路１７による充電池１６の充電が行われる。
【００３３】
また、ＬＣＤ５のケース３４の開口部３５、装着部２１の上面の開口部２２、およびリモコン１１の太陽電池１５は、殆ど隙間なく近接しているので、ＬＣＤ５の外部に漏れるバックライト３１の光を十分に抑えることができ、液晶パネル３２における表示映像に輝度ムラが生じるのを防止できる。
【００３４】
リモコン１１は、充電池１６の端子間電圧が所定の電圧に達すると、充電池１６の充電が完了したと判定する。リモコン１１は、充電池１６の充電が完了すると、その旨を示す制御コマンドを送信部１４から送信する。リモコン１１から送信された充電池１６の充電完了を示す制御コマンドは、液晶テレビ１のリモコン受信部８において受信される。液晶テレビ１は、リモコン１１から送信されてきた充電池１６の充電完了を示す制御コマンドの受信により、充電池１６に対する充電の完了を検出する。
【００３５】
液晶テレビ１は、充電池１６に対する充電の完了を検出すると、ＬＣＤ５に充電池１６の充電完了を示すメッセージを重ね合わせた合成映像を表示する（図７参照）。液晶テレビ１は、ＬＣＤ５に合成映像を表示するための機能として、周知のＯＳＤ機能を備えている。
【００３６】
ユーザは、ＬＣＤ５に表示された充電池１６の充電完了を示すメッセージにより、液晶テレビ１の装着部２１に装着しているリモコン１１（充電池１６）の充電完了を認識し、装着部２１からリモコン１１を、速やかに取り外すことができる。
【００３７】
また、リモコン１１が装着部２１から取り外されると、シャッタ２３が弾性体の付勢力によってに前方に移動し、開口部２２を閉する。上述のように、ＬＣＤ５のケース３４の開口部３５、装着部２１の上面の開口部２２、およびシャッタ２３は、殆ど隙間なく近接しているので、装着部２１にリモコン１１が装着されていないときも、ＬＣＤ５の外部に漏れるバックライト３１の光を十分に抑えることができ、液晶パネル３２における表示映像に輝度ムラが生じるのを防止できる。
【００３８】
このように、この実施形態の液晶テレビ１は、バックライト３１の光でリモコン１１の充電池１６を充電するので、従来のように充電のための照明や、充電回路を本体に設ける必要がなく、本体のコストアップが防止できる。
【００３９】
また、リモコン１１の充電池１６に対する充電が完了したときに、その旨を示すメッセージをＬＣＤ５に表示して、ユーザに通知するようにしたので、リモコン１１の充電池１６に対する充電が完了すると、ユーザが速やかに装着部２１からリモコン１１を取り外すことができる。したがって、ユーザが液晶テレビ１をリモコン１１で遠隔操作できない時間（液晶テレビ１の装着部２１に装着している時間）が抑えられ、操作性が低下するのを防止できる。
【００４０】
また、リモコン１１から液晶テレビ１に充電池１６の充電完了を通知するようにしたので、液晶テレビ１とリモコン１１とを電気的に接続する構成が不要であり、本体のコストアップを一層確実に防止できる。
【００４１】
さらに、シャッタ２３を設けることにより、リモコン１１が装着部２１に装着されていないときに、外部に漏れるバックライト３１の光を抑えたので、ＬＣＤ５において表示している映像に輝度ムラが生じるのを抑えることができる。
【００４２】
なお、リモコン１１の太陽電池１５に、バックライト３１の光ではなく、室内の照明光や太陽光等、他の光を照射しても、充電池１６の充電が行える。
【００４３】
【発明の効果】
以上のように、この発明によれば、バックライトの光でリモコンの充電池を充電するようにしたので、本体のコストアップを防止できる。
【００４４】
また、リモコンの充電池に対する充電が完了したときに、その旨を示すメッセージを表示して、ユーザに通知するようにしたので、充電池に対する充電が完了すると、ユーザが速やかに液晶テレビからリモコンを取り外すことができる。したがって、ユーザが液晶テレビをリモコンで遠隔操作できない時間が抑えられ、操作性の低下を防止できる。
【００４５】
また、リモコンから液晶テレビに充電池の充電完了を通知するようにしたので、液晶テレビとリモコンとを電気的に接続する構成が不要であり、本体のコストアップを一層確実に防止できる。
【００４６】
さらに、シャッタを設けることで、リモコンが装着部に装着されていないときに、外部に漏れるバックライトの光を抑えたので、表示している映像に輝度ムラが生じるのを抑えることができる。
【図面の簡単な説明】
【図１】この発明の実施形態である液晶テレビ、およびリモコンの主要部の構成を示す図である。
【図２】この発明の実施形態である液晶テレビの外観を示す正面図である。
【図３】この発明の実施形態であるリモコンの外観を示す図である。
【図４】この発明の実施形態である液晶テレビの外観を示す正面図である。
【図５】この発明の実施形態である液晶テレビのＬＣＤの構成を示す図である。
【図６】この発明の実施形態である液晶テレビの装着部の構成を示す図である。
【図７】充電完了時に表示される表示画面例を示す図である。
【符号の説明】
１−液晶テレビ
２−制御部
３−チューナ
４−映像処理部
５−ＬＣＤ
８−リモコン受信部
１１−リモコン
１２−制御部
１４−送信部
１５−太陽電池
１６−充電池
１７−充電回路
２１−装着部
２２−開口部
２３−シャッタ
３１−バックライト
３２−液晶パネル
３５−開口部
【図１】
2004336316.tif 000003
【図２】
2004336316.tif 000004
【図３】
2004336316.tif 000005
【図４】
2004336316.tif 000006
【図５】
2004336316.tif 000007
【図６】
2004336316.tif 000008
【図７】
2004336316.tif 000009